(57)【要約】  カメラ本体の大きさに対応でき、汎用性が良好なカメラ支持装置を提供する。  カメラ支持装置31は、三脚32の雲台33に装着する装置本体35を備える。装置本体35には、望遠レンズ４の脚部３を装置本体35に対して固定および固定解除する脚部固定体51を回転可能に設ける。装置本体35には、カメラ本体５を支持するカメラ本体支持体61を上下動可能に設ける。装置本体35には、カメラ本体支持体61を装置本体35に対して固定および固定解除する支持体固定体91を回転可能に設ける。
2009063547.tif 000002
【特許請求の範囲】
【請求項１】
脚部を有する望遠レンズがカメラ本体に取り付けられた望遠レンズ付カメラを支持するカメラ支持装置であって、
装置本体と、
前記望遠レンズの前記脚部を前記装置本体に対して固定および固定解除する脚部固定体と、
前記装置本体に上下動可能に設けられ、前記カメラ本体を支持するカメラ本体支持体と、
このカメラ本体支持体を前記装置本体に対して固定および固定解除する支持体固定体と
を備えることを特徴とするカメラ支持装置。
【請求項２】
カメラ本体支持体は、
装置本体に上下動可能でかつ回転可能に設けられた本体部と、
この本体部に固設され、カメラ本体の下面に形成されたねじ孔部に螺合されるねじ部とを有する
ことを特徴とする請求項１記載のカメラ支持装置。
【請求項３】
本体部は、上下方向長手状の略円柱状に形成され、
ねじ部は、前記本体部の上面から上方に向って突出している
ことを特徴とする請求項２記載のカメラ支持装置。
【請求項４】
装置本体は、互いに離間対向する一対の挟持板部を有し、
支持体固定体は、装置本体に回転可能に設けられ、
前記支持体固定体を一方向に回転させると、前記両挟持板部にてカメラ本体支持体の本体部が挟持されることにより、前記本体部が前記両挟持板部に対して固定され、
前記支持体固定体を他方向に回転させると、前記両挟持板部による前記本体部の挟持が解かれることにより、前記本体部の前記両挟持板部に対する固定が解除される
ことを特徴とする請求項２または３記載のカメラ支持装置。
【請求項５】
脚部固定体は、
装置本体に水平移動可能でかつ回転可能に設けられた本体部と、
この本体部に固設され、望遠レンズの脚部の下面に形成されたねじ孔部に螺合されるねじ部とを有する
ことを特徴とする請求項１ないし４のいずれか一記載のカメラ支持装置。
【発明の詳細な説明】
【技術分野】
【０００１】
本発明は、カメラ本体の大きさに対応でき、汎用性が良好なカメラ支持装置に関するものである。
【背景技術】
【０００２】
従来、例えば二又状の取付具および自由雲台からなり三脚の脚部に固定される固定部と、固定部の自由雲台に下端が連結された伸縮自在部と、伸縮自在部の上端に連結され望遠レンズ付カメラの望遠レンズを支持するＹ型支持具とを備えたカメラ用ブレ防止具が知られている（例えば、特許文献１参照）。【０００３】
しかしながら、このカメラ用ブレ防止具は、撮影時のカメラブレを防止できるものの、部品点数が多く、構成が複雑で、組立て作業にも手間がかかり、高価である。【０００４】
そこで、従来から、例えば図１２ないし図１４に示すカメラ支持装置１が知られている。【０００５】
カメラ支持装置１は、望遠レンズ付カメラ２、すなわち図１５および図１６に示すような脚部３を有する望遠レンズ４がカメラ本体５のレンズ被取付部６に脱着可能に取り付けられた望遠レンズ付カメラ２を支持する。【０００６】
望遠レンズ４は、略円柱状のレンズ本体部９と、このレンズ本体部９に取り付けられた脚部３とを有し、脚部３は、レンズ本体部９の外周に嵌着された略円環状の取付部分3aと、この取付部分3aの下部に連設された略板状の脚部分3bとにて構成されている。【０００７】
また、図１６に示されるように、脚部３の脚部分3bの下面には例えば２つのねじ孔部７が形成され、カメラ本体５の下面には例えば１つのねじ孔部８が形成されている。【０００８】
カメラ支持装置１は、図１２ないし図１４に示されるように、三脚の雲台（図示せず）に脱着可能に装着される板状の装置本体11と、望遠レンズ４の脚部３のねじ孔部７に螺合されて望遠レンズ４の脚部３を装置本体11に対して固定する脚部固定体12と、カメラ本体５のねじ孔部８に螺合されてカメラ本体５を板状の介在物13を介して装置本体11に対して固定するカメラ本体固定体14とを備えている。【０００９】
脚部固定体12は、円板状の操作摘み部16と、この操作摘み部16に固設された軸状のねじ部17とを有し、このねじ部17は、装置本体11の長孔部18に挿通されて望遠レンズ４の脚部３のねじ孔部７に螺合される。【００１０】
カメラ本体固定体14は、円板状の操作摘み部21と、この操作摘み部21に固設された軸状のねじ部22とを有し、このねじ部22は、装置本体11の挿通孔（図示せず）および介在物13の挿通孔（図示せず）に挿通されてカメラ本体５のねじ孔部８に螺合される。【００１１】
図１２に示されるように、介在物13の厚さ寸法Ｔは、望遠レンズ４の寸法Ａからカメラ本体５の寸法Ｂを引いた値である。望遠レンズ４の寸法Ａは、望遠レンズ付カメラ２の中心軸線Ｘと脚部３の下面位置との間の距離であり、カメラ本体５の寸法Ｂは、望遠レンズ付カメラ２の中心軸線Ｘとカメラ本体５の下面位置との間の距離である。
【特許文献１】特開平１１−２４９２２９号公報
【発明の開示】
【発明が解決しようとする課題】
【００１２】
しかしながら、上記従来のカメラ支持装置１では、大きさの異なるカメラ本体５ごとに、その大きさに対応する介在物13およびカメラ本体固定体14を用意しなければならず、汎用性がない。【００１３】
すなわち例えば図１２の２点鎖線で示すように、寸法Ｂ´のカメラ本体５の場合には、厚さ寸法Ｔ´の介在物13と、その厚さ寸法Ｔ´より長いねじ部22を有するカメラ本体固定体14とが必要になる。【００１４】
本発明は、このような点に鑑みなされたもので、カメラ本体の大きさに対応でき、汎用性が良好なカメラ支持装置を提供することを目的とする。
【課題を解決するための手段】
【００１５】
請求項１記載のカメラ支持装置は、脚部を有する望遠レンズがカメラ本体に取り付けられた望遠レンズ付カメラを支持するカメラ支持装置であって、装置本体と、前記望遠レンズの前記脚部を前記装置本体に対して固定および固定解除する脚部固定体と、前記装置本体に上下動可能に設けられ、前記カメラ本体を支持するカメラ本体支持体と、このカメラ本体支持体を前記装置本体に対して固定および固定解除する支持体固定体とを備えたものである。【００１６】
請求項２記載のカメラ支持装置は、請求項１記載のカメラ支持装置において、カメラ本体支持体は、装置本体に上下動可能でかつ回転可能に設けられた本体部と、この本体部に固設され、カメラ本体の下面に形成されたねじ孔部に螺合されるねじ部とを有するものである。【００１７】
請求項３記載のカメラ支持装置は、請求項２記載のカメラ支持装置において、本体部は、上下方向長手状の略円柱状に形成され、ねじ部は、前記本体部の上面から上方に向って突出しているものである。【００１８】
請求項４記載のカメラ支持装置は、請求項２または３記載のカメラ支持装置において、装置本体は、互いに離間対向する一対の挟持板部を有し、支持体固定体は、装置本体に回転可能に設けられ、前記支持体固定体を一方向に回転させると、前記両挟持板部にてカメラ本体支持体の本体部が挟持されることにより、前記本体部が前記両挟持板部に対して固定され、前記支持体固定体を他方向に回転させると、前記両挟持板部による前記本体部の挟持が解かれることにより、前記本体部の前記両挟持板部に対する固定が解除されるものである。【００１９】
請求項５記載のカメラ支持装置は、請求項１ないし４のいずれか一記載のカメラ支持装置において、脚部固定体は、装置本体に水平移動可能でかつ回転可能に設けられた本体部と、この本体部に固設され、望遠レンズの脚部の下面に形成されたねじ孔部に螺合されるねじ部とを有するものである。
【発明の効果】
【００２０】
請求項１に係る発明によれば、装置本体に上下動可能に設けられカメラ本体を支持するカメラ本体支持体と、カメラ本体支持体を装置本体に対して固定および固定解除する支持体固定体とを備えるため、カメラ本体の大きさに対応でき、汎用性が良好である。【００２１】
請求項２に係る発明によれば、装置本体に上下動可能に設けられた本体部とこの本体部に回転可能に設けられたねじ部とを有する構成等に比べて、カメラ本体支持体の構成の簡素化を容易に図ることができる。【００２２】
請求項３に係る発明によれば、カメラ本体支持体の本体部を把持してこの本体部を回転させることにより、ねじ部をカメラ本体のねじ孔部に容易に螺合できる。【００２３】
請求項４に係る発明によれば、支持体固定体を回転させることにより、カメラ本体支持体の装置本体に対する固定および固定解除を容易に行うことができる。【００２４】
請求項５に係る発明によれば、脚部固定体の本体部を水平移動および回転させることにより、ねじ部を望遠レンズの脚部のねじ孔部に容易に螺合できる。
【図面の簡単な説明】
【００２５】
【図１】本発明の一実施の形態のカメラ支持装置のカメラ取付状態時の側面図である。
【図２】同上カメラ支持装置のカメラ取付状態時の斜視図である。
【図３】同上カメラ支持装置のカメラ取付状態時の下方視斜視図である。
【図４】同上カメラ支持装置の斜視図である。
【図５】同上カメラ支持装置の下方視斜視図である。
【図６】同上カメラ支持装置の分解斜視図である。
【図７】同上カメラ支持装置の下方視分解斜視図である。
【図８】本発明の他の実施の形態のカメラ支持装置のカメラ取付状態時の側面図である。
【図９】同上カメラ支持装置のカメラ取付状態時の斜視図である。
【図１０】同上カメラ支持装置の斜視図である。
【図１１】同上カメラ支持装置の下方視斜視図である。
【図１２】従来のカメラ支持装置のカメラ取付状態時の側面図である。
【図１３】従来のカメラ支持装置の斜視図である。
【図１４】従来のカメラ支持装置の下方視斜視図である。
【図１５】カメラ本体に望遠レンズを取り付けた望遠レンズ付カメラを示す斜視図である。
【図１６】同上望遠レンズ付カメラの下方視斜視図である。
【符号の説明】
【００２６】
２    望遠レンズ付カメラ
３    脚部
４    望遠レンズ
５    カメラ本体
７，８    ねじ孔部
31    カメラ支持装置
35    装置本体
47    挟持板部
51    脚部固定体
52    本体部
57    ねじ部
61    カメラ本体支持体
62    本体部
73    ねじ部
91    支持体固定体
【発明を実施するための最良の形態】
【００２７】
本発明のカメラ支持装置の一実施の形態を図面を参照して説明する。【００２８】
図１ないし図７において、31はカメラ支持装置で、このカメラ支持装置31は、望遠レンズ付カメラ（図１５および図１６参照）２を支持するものである。【００２９】
なお、望遠レンズ付カメラ２は、例えば一眼レフカメラ等のカメラ本体５とこのカメラ本体５のレンズ被取付部６に脱着可能に取り付けられた重量物である望遠レンズ４とにて構成され、この望遠レンズ４は、レンズ本体部９とこのレンズ本体部９に取り付けられた脚部３とを有している。【００３０】
カメラ支持装置31は、三脚32の雲台33に脱着可能に装着される長手状で略板状の装置本体35を備えている。装置本体35は、それぞれ略矩形板状で互いに離間対向する上板部36および下板部37を有している。上板部36には、長手方向が上板部36の長手方向と一致する長孔部38が上板部36の略全体にわたって上板部36の上下面に貫通して形成されている。上板部36の上面には、複数の凹部39が形成されている。下板部37には、下板部37の長手方向に並んで位置する複数、例えば３つのねじ孔部41が下板部37の上下面に貫通して形成されている。各ねじ孔部41にはねじ部材42が螺合固定され、このねじ部材42にはねじ孔部43が形成されている。下板部37の下面には、複数の凹部44が形成されている。【００３１】
なお、図１に示す雲台33では、下板部37が雲台33の一対の挟持部34にて両側方から挟持されることにより、装置本体35がその雲台33に脱着可能に装着される。図示しないが、上面から突出するカメラ固定用ねじを有する雲台では、複数のねじ部材42の中から選択された１つのねじ部材42のねじ孔部43にカメラ固定用ねじが螺合されることにより、装置本体35がその雲台に脱着可能に装着される。【００３２】
また、装置本体35は、挿通孔46を介して互いに離間対向する一対の挟持板部47を長手方向端部に有している。各挟持板部47は、例えば上下板部36，37の端部に連設された湾曲板48と、この湾曲板48の先端に連設された平板49とにて構成され、この平板49にはねじ孔部50が形成されている。【００３３】
カメラ支持装置31は、人力による回転操作に基づいて望遠レンズ４の脚部３を装置本体35の上板部36に対して固定および固定解除する固定操作体である脚部固定体51を備えている。【００３４】
脚部固定体51は、装置本体35にこの装置本体35の長手方向に沿って水平移動可能でかつ上下方向の回転中心軸線ａを中心として回転可能に設けられた略円板状の本体部52を有している。本体部52は装置本体35の上板部36および下板部37間に水平状に収納配設され、この本体部52の外周側の一部が装置本体35の両側の側面開口30から側方に向って突出し、この突出部分が手掛け部53となっている。【００３５】
本体部52の外周面には、本体部52の回転操作時における滑り防止用の複数の溝54が形成されている。本体部52の中央部にはねじ孔部55が本体部52の上下面に貫通して形成され、このねじ孔部55にはねじ部材56が螺合固定されている。このねじ部材56にて上下方向の軸状のねじ部57が構成され、このねじ部57は本体部52の上面から上方に向って突出し、この突出部分は装置本体35の上板部36の長孔部38に挿通されている。すなわち、この本体部52の中央部に固設されたねじ部57は、装置本体35の長孔部38に挿通されかつ装置本体35の上面から突出した状態で、長孔部38にて案内されつつこの長孔部38に沿って水平移動する。つまり、脚部固定体51は、長孔部38によるねじ部57の案内により装置本体35の長手方向に沿って水平移動する。【００３６】
そして、望遠レンズ４の脚部３のねじ孔部７とねじ部57との位置合わせをした後、手掛け部53を利用して脚部固定体51の本体部52を回転中心軸線ａを中心として一方向に回転させると、ねじ部57が望遠レンズ４の脚部３のねじ孔部７に螺合されることにより、望遠レンズ４の脚部３が装置本体35の上板部36の上面に対して固定される。【００３７】
また、手掛け部53を利用して脚部固定体51の本体部52を回転中心軸線ａを中心として他方向に回転させると、ねじ部57とねじ孔部７との螺合が解かれることにより、望遠レンズ４の脚部３の装置本体35の上板部36の上面に対する固定が解除される。【００３８】
カメラ支持装置31は、装置本体35にこの装置本体35の挿通孔46に挿通された状態で上下動可能でかつ上下方向の回転中心軸線ｂを中心として回転可能に設けられカメラ本体５の下面部に脱着可能に取り付けられカメラ本体５の下面部を支持する上下方向長手状の略円柱状のカメラ本体支持体61を備えている。カメラ本体支持体61は、回転中心軸線ｂを中心とする人力による回転操作により、カメラ本体５の下面部に対して脱着可能となっている。【００３９】
カメラ本体支持体61は、装置本体35に上下動可能でかつ回転中心軸線ｂを中心として回転可能に設けられた本体部62を有している。本体部62は、上下方向長手状の略円柱状に形成され、装置本体35の挿通孔46に上下動可能でかつ回転可能に嵌合挿通されている。なお、本体部62の装置本体35の挿通孔46より下方に突出する部分が、本体部62の回転操作時に操作者に把持される把持部60となっている。【００４０】
本体部62は、上下面開口状の筒状部材64を有し、この筒状部材64の上端部には上閉鎖部材65が固着され、この上閉鎖部材65にて筒状部材64の上面開口66が閉鎖されている。上閉鎖部材65は、例えば略円板状の閉鎖部67と、この閉鎖部67から下方に向って突出するねじ筒部68とにて構成されている。そして、ねじ筒部68の外周面に形成されたねじ溝69が筒状部材64の上端部内周面に形成されたねじ溝70に螺合固定されることにより、筒状部材64の上端部に上閉鎖部材65が固着されている。閉鎖部67の中央部にはねじ孔部71が閉鎖部67の上下面に貫通して形成され、このねじ孔部71にはねじ部材72が螺合固定されている。このねじ部材72にて上下方向の軸状のねじ部73が構成されている。そして、この本体部62の上端部に固設されたねじ部73は、本体部62の上面つまり閉鎖部67の上面から上方に向って突出している。本体部62の上面がカメラ本体５の下面と面状に接触してこのカメラ本体５の下面を支持する支持面62aとなっている。【００４１】
筒状部材64の下端部には下閉鎖部材75が固着され、この下閉鎖部材75にて筒状部材64の下面開口76が閉鎖されている。下閉鎖部材75は、例えば略円板状の閉鎖部77と、この閉鎖部77から上方に向って突出するねじ筒部78とにて構成されている。そして、ねじ筒部78の外周面に形成されたねじ溝79が筒状部材64の下端部内周面に形成されたねじ溝80に螺合固定されることにより、筒状部材64の下端部に下閉鎖部材75が固着されている。閉鎖部77の外周面には、本体部62の回転操作時における滑り防止用の複数の溝81が形成されている。【００４２】
また、上閉鎖部材65の閉鎖部67の外周部が鍔状の上抜止め部82、下閉鎖部材75の閉鎖部77の外周部が鍔状の下抜止め部83となっており、これら上抜止め部82および下抜止め部83によってカメラ本体支持体61が装置本体35の挿通孔46から抜け出ないようになっている。すなわち、本体部62の上下端部に上抜止め部82および下抜止め部83が鍔状に形成されており、上抜止め部82と両挟持板部47の上面との当接によりカメラ本体支持体61の下動が規制され、下抜止め部83と両挟持板部47の下面との当接によりカメラ本体支持体61の上動が規制される。【００４３】
なお、図４に示されるように、カメラ本体５を支持する前の状態では、カメラ本体支持体61は、その自重に基づいて最下位置にあり、上抜止め部82と両挟持板部47の上面とが当接した状態になっている。【００４４】
そして、カメラ本体５のねじ孔部８とねじ部73との位置合わせをした後、カメラ本体支持体61の本体部62を回転中心軸線ｂを中心として一方向に回転させると、ねじ部73がカメラ本体５のねじ孔部８に螺合されることにより、カメラ本体５の下面部にカメラ本体支持体61が取り付けられ、こうしてカメラ本体支持体61がカメラ本体５に対して固定される。【００４５】
また、カメラ本体支持体61の本体部62を回転中心軸線ｂを中心として他方向に回転させると、ねじ部73とねじ孔部７との螺合が解かれることにより、カメラ本体５の下面部からカメラ本体支持体61が取り外され、こうしてカメラ本体支持体61のカメラ本体５に対する固定が解除される。【００４６】
カメラ支持装置31は、人力による回転操作に基づいてカメラ本体支持体61を装置本体35の両挟持板部47に対して固定および固定解除する固定操作体である支持体固定体91を備えている。【００４７】
支持体固定体91は、例えば装置本体35の両挟持板部47の平板49のねじ孔部50に螺合されたねじ操作部材92にて構成されており、このねじ操作部材92は装置本体35に対して水平方向の回転中心軸線ｃを中心として回転操作可能となっている。【００４８】
ねじ操作部材92は、略円板状の操作摘み部93を有し、この操作摘み部93の中央部には水平方向の軸状のねじ部94が固設されている。このねじ部94は、例えば受面95を有する径大軸部分96と、この径大軸部分96より外径が小さい径小軸部分97と、外周面にねじ溝99が形成されたねじ軸部分98とにて構成され、このねじ軸部分98が装置本体35のねじ孔部50に螺合されている。【００４９】
そして、操作摘み部93を利用して支持体固定体91つまりねじ操作部材92を回転中心軸線ｃを中心として一方向に回転させると、装置本体35の両挟持板部47にてカメラ本体支持体61の本体部62が挟持されることにより、本体部62が両挟持板部47の内面に対して固定される。すなわち、支持体固定体91を回転操作して受面95をワッシャ100を介して一方の挟持板部47の外面に所望の押圧力で押し付けると、両挟持板部47が弾性変形により互いに接近方向に若干移動し、その結果、両挟持板部47にて本体部62が挟持され、その本体部62が両挟持板部47の内面に対して固定される。【００５０】
また、操作摘み部93を利用して支持体固定体92を回転中心軸線ｃを中心として他方向に回転させると、両挟持板部47による本体部62の挟持が解かれることにより、本体部62の両挟持板部47に対する固定が解除される。すなわち、支持体固定体91を回転操作して受面95を一方の挟持板部47の外面から離すと、両挟持板部47が弾性復元力でもとの形状に復帰し、その結果、両挟持板部47による本体部62の挟持が解かれ、本体部62の両挟持板部47に対する固定が解除される。【００５１】
次に、上記カメラ支持装置31の作用等を説明する。【００５２】
望遠レンズ付カメラ２をカメラ支持装置31に支持させる場合、まず、望遠レンズ４の脚部３のねじ孔部７と脚部固定体51のねじ部57との位置合わせを行い、その後、手掛け部53を利用して脚部固定体51を回転操作することにより、ねじ部57と望遠レンズ４の脚部３のねじ孔部７とを螺合させ、望遠レンズ４の脚部３を装置本体35の上板部36に対して仮固定する。この仮固定の状態では、望遠レンズ付カメラ２を脚部固定体51とともに装置本体35に対して長孔部38に沿って水平移動可能である。【００５３】
次いで、望遠レンズ付カメラ２を脚部固定体51とともに装置本体35に対して長孔部38に沿って水平移動させてその脚部３を装置本体35の上板部36上をスライドさせることにより、カメラ本体５のねじ孔部８をカメラ本体支持体61のねじ部73の上方位置に位置させ、この状態で、脚部固定体51をさらに回転操作することにより、ねじ部57とねじ孔部７との螺合を進めて、望遠レンズ４の脚部３を装置本体35の上板部36に対して本固定する。【００５４】
こうしてカメラ本体５のねじ孔部８とねじ部73との位置合わせを行った後、最下位置にあるカメラ本体支持体61を所望量上動させ、その後、本体部62のうち装置本体35より下方に位置する部分である把持部60を把持してカメラ本体支持体61を回転操作することにより、ねじ部73とカメラ本体５のねじ孔部８とを螺合させ、カメラ本体支持体61をカメラ本体５の下面部に取付固定する。【００５５】
次いで、操作摘み部93を利用して支持体固定体91を回転操作することにより、装置本体35の両挟持板部47にカメラ本体支持体61の本体部62を挟持させ、カメラ本体支持体61の本体部62を両挟持板部47の内面に対して固定する。【００５６】
このようにして望遠レンズ付カメラ２がカメラ支持装置31によって安定状態に支持され、このため、撮影時において望遠レンズ付カメラ２のカメラブレがなく、被写体のきれいな画像等が得られる。【００５７】
また、撮影終了後、望遠レンズ付カメラ２をカメラ支持装置31から取り外す場合には、支持体固定体91の回転操作によりカメラ本体支持体61の装置本体35に対する固定を解除し、その後、そのカメラ本体支持体61を回転操作してカメラ本体５の下面部から取り外し、次いで、脚部固定体51の回転操作により望遠レンズ４の装置本体35に対して固定を解除する。【００５８】
さらに、カメラ本体支持体61が装置本体35に上下動可能に設けられ、カメラ本体支持体61の本体部62の支持面62aの装置本体35からの高さ寸法Ｈが調整可能になっているため、大きさの異なるカメラ本体５に代えた場合でもその高さ寸法Ｈの調整によって対応可能である。【００５９】
このようにカメラ支持装置31によれば、撮影時のカメラブレを防止でき、被写体のきれいな画像等を得ることができるばかりでなく、種類等に応じて異なるカメラ本体５の大きさに対応でき、汎用性が良好であり、しかも、部品点数が少なく、構成が簡単かつ丈夫で、組立て作業およびメンテナンス作業等も容易であり、さらに安価である。【００６０】
また、カメラ本体支持体61の本体部62の下部を把持してこの本体部62を回転操作することにより、ねじ部73をカメラ本体５のねじ孔部８に容易かつ確実に螺合でき、操作性が良好である。【００６１】
さらに、支持体固定体91の回転操作のみによって、カメラ本体支持体61の装置本体35に対する固定および固定解除を容易に行うことができる。【００６２】
なお、上記実施の形態では、カメラ本体支持体61が装置本体35に上下動可能でかつ回転可能に設けられた本体部62を有し、この本体部62の上端部にねじ部73を固設した構成について説明したが、例えば図８ないし図１１に示すように、支持台等の本体部101を装置本体35に上下動可能に設け、この本体部101にカメラ本体５のねじ孔部８と螺合するねじ部102を回転可能に設けた構成でもよい。【００６３】
本体部101は、略矩形状の支持板部103と、この支持板部103から下方に向って突出し装置本体35の挿通孔105に上下動可能に挿通された複数、２本の棒状部104とを有している。支持板部103の中央部にはねじ孔部106が形成され、このねじ孔部106にねじ部102を構成するねじ操作部材108が螺合されている。このねじ操作部材108は、操作摘み部109と、この操作摘み部109に固設されたねじ軸部110とを有し、このねじ軸部110は支持板部103の上面から上方に向って突出している。そして、カメラ本体支持体61は、ねじ操作部材108の回転操作によりカメラ本体５の下面部に対して脱着可能となっている。また、支持体固定体91を構成するねじ操作部材111が装置本体35のねじ孔部112に螺合され、このねじ操作部材111の回転操作により
カメラ本体支持体61の棒状部104が装置本体35の挿通孔105に臨んだ面に対して固定および固定解除される。【００６４】
そして、図８ないし図１１に示す構成であっても、カメラ本体支持体61の本体部101の支持面101aの装置本体35からの高さ寸法Ｈが調整可能になっているため、図１等に示すものと同様、カメラ本体５の大きさに対応でき、汎用性が良好である。【００６５】
また、カメラ本体支持体61は、例えば図示しないが、ねじ部73，102を有さず、カメラ本体５の下面部に当接してこの下面部を支持する構成等でもよい。【００６６】
なお、カメラ本体５の大きさによっては、カメラ支持装置31に対する望遠レンズ付カメラ２の前後方向を逆にして、脚部固定体51のねじ部57とカメラ本体５のねじ孔部８とを螺合させ、かつカメラ本体支持体61のねじ部73と望遠レンズ４の脚部３のねじ孔部７とを螺合させる場合もある。
【産業上の利用可能性】
【００６７】
本発明は、脚部を有する望遠レンズがカメラ本体に取り付けられた望遠レンズ付カメラを支持するのに利用される。
【図１】
2009063547.tif 000003
【図２】
2009063547.tif 000004
【図３】
2009063547.tif 000005
【図４】
2009063547.tif 000006
【図５】
2009063547.tif 000007
【図６】
2009063547.tif 000008
【図７】
2009063547.tif 000009
【図８】
2009063547.tif 000010
【図９】
2009063547.tif 000011
【図１０】
2009063547.tif 000012
【図１１】
2009063547.tif 000013
【図１２】
2009063547.tif 000014
【図１３】
2009063547.tif 000015
【図１４】
2009063547.tif 000016
【図１５】
2009063547.tif 000017
【図１６】
2009063547.tif 000018
【国際調査報告】
2009063547.tif 000019
2009063547.tif 000020
2009063547.tif 000021
2009063547.tif 000022